(57)【要約】【課題】  横胴縁を定尺とすることによって建物壁面の出隅に生じる定尺以下の寸法部分を簡易にカバーする。【解決手段】  縦胴縁１のブラケット１２に定尺の横胴縁２の引掛透孔２３を引掛支持して縦胴縁１に横胴縁２を架設し，出隅側で横胴縁２に延長胴縁３を長手方向スライド自在に装着することによって該延長胴縁３で出隅側の定尺以下の部分をカバーする。延長胴縁３は，その挿入口３５に縦胴縁１のブラケット１２を受け入れるように挿入口３５下位のストッパー３６を縦胴縁１側に押圧しながら横胴縁２の長手方向にスライドし，そのガイドフィン３４をブラケット１２と横胴縁２間に挟持するように，横胴縁２の正面側からその装着を行なう。ストッパー３６は，ブラケット１２の受入れ後に定位置に弾発的に復帰してブラケット１２のスライド範囲を画することによって延長胴縁３の抜止めとなる。【選択図】        図１０
2005344299.tif 000002
【特許請求の範囲】
【請求項１】
縦胴縁と，該縦胴縁に架設支持して外装材の取付ベースをなす定尺の横胴縁と，該横胴縁に長手方向スライド自在に装着し同じく外装材の取付ベースをなす延長胴縁とを備えた外装下地であって，縦胴縁に対する横胴縁の架設支持を，縦胴縁に設置したブラケットを横胴縁の縦胴縁との交差位置に設置した引掛透孔に挿通し該引掛透孔の上端をブラケットに引掛支持することによって行い，定尺の横胴縁に対する延長胴縁の長手方向スライド自在の装着を，定尺の横胴縁と延長胴縁を正面側開放の略共通断面形状とすることによって延長胴縁を定尺の横胴縁に対して正面側からスライド自在に嵌合することによって行なってなることを特徴とするタイル，サイディング等外装材下地。
【請求項２】
上記定尺の横胴縁に対する延長胴縁のスライド範囲を，該定尺の横胴縁における上記引掛透孔を介してその正面側に突出した縦胴縁のブラケット幅方向端部を延長胴縁に横長に透設したスライド透孔長手方向両端配置の一対のストッパーに突き当て対接自在とすることによって該一対のストッパー離隔幅間で規制してなることを特徴とする請求項１に記載のタイル，サイディング等外装材下地。
【請求項３】
上記延長胴縁のスライド透孔における上記一対のストッパー間上方に下向きのガイドフィンを配置し，該ガイドフィンを上記定尺の横胴縁の透孔を挿通したブラケットと定尺の横胴縁の引掛透孔上部間にスライド自在に挟持することによって定尺の横胴縁における延長胴縁の嵌合によるスライドを縦胴縁位置で長手方向に案内してなることを特徴とする請求項１又は２に記載のタイル，サイディング等外装材下地。
【請求項４】
上記延長胴縁のスライド透孔を延長胴縁長手方向に沿う矩形状に形成し，その上方中間位置に下向きのガイドフィンを配置するとともにその両端を開放して挿入口を配置し且つ該挿入口の下位に縦胴縁のブラケット下部に重なるように上記一対のストッパーを上向きに起立配置することによって，上記定尺の横胴縁に対する延長胴縁の長手方向スライド自在の装着を，定尺の横胴縁を引掛支持した縦胴縁のブラケット位置に延長胴縁一方の挿入口を合せて該延長胴縁を縦胴縁側に押圧し，該押圧状態で延長胴縁をスライド透孔長手方向にスライドすることによってそのガイドフィンをブラケットと定尺の横胴縁上部間に挟持するとともに該挿入口下位のストッパーを弾発的に復帰させて縦胴縁のブラケットを該ストッパーに対接自在としてなることを特徴とする請求項１，２又は３に記載のタイル，サイディング等外装材下地。
【発明の詳細な説明】
【技術分野】
【０００１】
本発明は，建物のタイル，サイディング等外装材を設置するように建物の壁面に配置するタイル，サイディング等外装材下地に関する。
【背景技術】
【０００２】
この種横胴縁は所定長さに設定した定尺のものとして，タイル，サイディング等の取付ベースをなすように建物構造材の外側に単独又は縦胴縁を介して配置するように用いられるものとされ，例えばタイルを専用に取り付けるためのタイル施工用レールの名称で，中間の凹陥部を縦胴縁に釘止めし，その正面側に平行に突出した上下突条によるタイル取付用一対の係合部に，タイル裏面の凹部を嵌合状に引掛け接着することによって，その長手方向にタイルを取り付けるようにした金属板製の横胴縁又はそのタイル接着面に剥離フィルムを配した横胴縁が知られている。
【０００３】
【特許文献１】特開２００３−１７２０１２号公報
【発明の開示】
【発明が解決しようとする課題】
【０００４】
このとき横胴縁の長さは，例えば生産都合等の理由によって建物の軸組構造，枠組構造における柱，間柱等の芯々寸法より長くして定尺とするか，これら芯々寸法に合わせて旧尺やメートルを基準としてその倍数の所定長さを定尺とし，建物壁面に長手方向端部を付き合わせるように横方向連続的に水平配置して，窯業系のタイル，金属や石材のサイディング等適宜に構成された外装材を取り付けるものとされているが，芯々寸法より長いものはもとより，芯々寸法によるものも，横胴縁を建物壁面に水平配置したとき，その合計長さが建物壁面幅と一致しないことから，前者においては芯々寸法によって設定される建物壁面幅から突出する余剰部分を生じるし，また後者において建物壁面幅に不足する残余部分を生じることになる。即ち後者の場合，例えば建物の出隅においては，その柱，間柱の幅方向中心の芯位置から出隅側の側面までの，例えば数ｃｍ程度の幅部分が，そして出隅で交差する壁面に断熱材を配置する本例の如き外断熱構造の建物にあっては，該柱の数ｃｍの幅に更に断熱材の厚さを加えた幅部分が，また窓開口部設置部分にあってはその横幅を建物壁面から減じて定尺の合計を超えた幅部分が，定尺の横胴縁の合計長さと一致せずに，一般に定尺以下の寸法となって残り，建物壁面に該定尺の横胴縁によってカバーできない残余部分となる。
【０００５】
このとき余剰部分や残余部分には，該部分においても外装材の取付が可能となるように横胴縁を追加する必要が生じるところ，この種横胴縁は木製であるか，また上記のように金属製であっても，比較的薄いスチール製等であるから，建物壁面に生じる該残余部分については，一般に定尺の横胴縁を残余部分の長さに合せて現場で切断することによって，定尺の横胴縁の端部に継ぎ足し状に配置使用するものとされており，このため現場作業が煩雑化すること，横胴縁の切断によって騒音や多数の端材が発生し，材料の無駄を生じ，端材の廃棄処理が必要となるといった問題点を招いている。
【０００６】
本発明はかかる事情に鑑みてなされたもので，その解決課題とするところは，縦胴縁に架設支持した定尺の横胴縁に対してその長さを延長可能とする延長胴縁を安定且つ確実に装着することによって，建物壁面の出隅や窓開口部分等に生じる残余部分を吸収し，現場での切断作業を解消し，騒音や端材の発生を防止するとともに上記定尺の横胴部に対する延長胴縁の装着を簡易且つ確実になし得るようにしたタイル，サイディング等の外装材下地を提供するにある。
【課題を解決するための手段】
【０００７】
上記課題に添って本発明は，縦胴縁と，該縦胴縁に架設支持して外装材の取付ベースをなす定尺の横胴縁と，該横胴縁に長手方向スライド自在に装着し同じく外装材の取付ベースをなす延長胴縁とを備えて外装下地を構成するとともに，縦胴縁への横胴縁の架設支持を，縦胴縁のブラケットに横胴縁の引掛透孔の上端を引掛支持することによって，外装材荷重を受ける定尺の横胴縁の支持を安定且つ確実に行なう一方，該横胴縁への延長胴縁のスライド自在の装着を，該定尺の横胴縁と延長胴縁を略共通断面形状とすることによって横胴縁に対して延長胴縁を正面側から嵌合可能とし，縦胴縁に横胴縁を架設支持した後に，残余部分の発生があるときに，該残余部分に追加して定尺の横胴縁を延長するように又は定尺の横胴縁間にブリッジ状とするように，延長胴縁をその正面側から事後に簡易に嵌め込むことによって該残余部分を吸収することを可能として，外装下地設置の作業性を確保し得るようにしたものであって，即ち請求項１に記載の発明を，縦胴縁と，該縦胴縁に架設支持して外装材の取付ベースをなす定尺の横胴縁と，該横胴縁に長手方向スライド自在に装着し同じく外装材の取付ベースをなす延長胴縁とを備えた外装下地であって，縦胴縁に対する横胴縁の架設支持を，縦胴縁に設置したブラケットを横胴縁の縦胴縁との交差位置に設置した引掛透孔に挿通し該引掛透孔の上端をブラケットに引掛支持することによって行い，定尺の横胴縁に対する延長胴縁の長手方向スライド自在の装着を，定尺の横胴縁と延長胴縁を正面側開放の略共通断面形状とすることによって延長胴縁を定尺の横胴縁に対して正面側からスライド自在に嵌合することによって行なってなることを特徴とするタイル，サイディング等外装材下地としたものである。
【０００８】
請求項２に記載の発明は，上記に加えて，上記定尺の横胴縁に装着した延長胴縁をその一対のストッパーに縦胴縁のブラケットを対接してその受止めを行なうことによって，該装着した延長胴縁をスライドして残余部分の吸収を行なうに際してこれが定尺の横胴縁から抜け落ちるのを防止し，抜け落ちによるトラブルを解消するように，これを，上記定尺の横胴縁に対する延長胴縁のスライド範囲を，該定尺の横胴縁における上記引掛透孔を介してその正面側に突出した縦胴縁のブラケット幅方向端部を延長胴縁に横長に透設したスライド透孔長手方向両端配置の一対のストッパーに突き当て対接自在とすることによって該一対のストッパー離隔幅間で規制してなることを特徴とする請求項１に記載のタイル，サイディング等外装材下地としたものである。
【０００９】
請求項３に記載の発明は，同じく上記に加えて，延長胴縁にガイドフィンを設置し，該ガイドフィンを定尺の横胴縁へのスライド自在の装着状態で，縦胴縁のブラケットと定尺の横胴縁間にスライド自在に挟持することによって縦胴縁位置でその長手方向の案内を行い，延長胴縁のスライドを更に安定して確実になし得るものとするように，これを，上記延長胴縁のスライド透孔における上記一対のストッパー間上方に下向きのガイドフィンを配置し，該ガイドフィンを上記定尺の横胴縁の透孔を挿通したブラケットと定尺の横胴縁の引掛透孔上部間にスライド自在に挟持することによって定尺の横胴縁における延長胴縁の嵌合によるスライドを縦胴縁位置で長手方向に案内してなることを特徴とする請求項１又は２に記載のタイル，サイディング等外装材下地としたものである。
【００１０】
請求項４に記載の発明は，同じく上記に加えて，延長胴縁のスライド透孔におけるガイドフィン，一対のストッパー，その上方の同じく一対の挿入口の配置によって，定尺の横胴縁に対する延長胴縁装着の左右勝手を自在とするとともに延長胴縁の簡易な装着とこれによるガイドフィンの上記スライド自在の挟持とストッパーによるスライド範囲の規制とをなし得るものとするように，これを，上記延長胴縁のスライド透孔を延長胴縁長手方向に沿う矩形状に形成し，その上方中間位置に下向きのガイドフィンを配置するとともにその両端を開放して挿入口を配置し且つ該挿入口の下位に縦胴縁のブラケット下部に重なるように上記一対のストッパーを上向きに起立配置することによって，上記定尺の横胴縁に対する延長胴縁の長手方向スライド自在の装着を，定尺の横胴縁を引掛支持した縦胴縁のブラケット位置に延長胴縁一方の挿入口を合せて該延長胴縁を縦胴縁側に押圧し，該押圧状態で延長胴縁をスライド透孔長手方向にスライドすることによってそのガイドフィンをブラケットと定尺の横胴縁上部間に挟持するとともに該挿入口下位のストッパーを弾発的に復帰させて縦胴縁のブラケットを該ストッパーに対接自在としてなることを特徴とする請求項１，２又は３に記載のタイル，サイディング等外装材下地としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，縦胴縁に架設支持した定尺の横胴縁に対してその長さを延長可能とする延長胴縁を安定且つ確実に装着することによって，建物壁面の出隅や窓開口部分等に生じる残余部分を吸収し，現場での切断作業を解消し，騒音や端材の発生を防止するとともに上記定尺の横胴部に対する延長胴縁の装着を簡易且つ確実になし得るようにしたタイル，サイディング等の外装材下地を提供することができる。
【００１３】
請求項２に記載の発明は，上記に加えて，上記定尺の横胴縁に装着した延長胴縁をその一対のストッパーに縦胴縁のブラケットを対接してその受止めを行なうことによって，該装着した延長胴縁をスライドして残余部分の吸収を行なうに際してこれが定尺の横胴縁から抜け落ちるのを防止し，抜け落ちによるトラブルを解消するものとすることができる。
【００１４】
請求項３に記載の発明は，同じく上記に加えて，延長胴縁にガイドフィンを設置し，該ガイドフィンを定尺の横胴縁へのスライド自在の装着状態で，縦胴縁のブラケットと定尺の横胴縁間にスライド自在に挟持することによって縦胴縁位置でその長手方向の案内を行い，延長胴縁のスライドを更に安定して確実になし得るものとすることができる。
【００１５】
請求項４に記載の発明は，同じく上記に加えて，延長胴縁のスライド透孔におけるガイドフィン，一対のストッパー，その上方の同じく一対の挿入口の配置によって，定尺の横胴縁に対する延長胴縁装着の左右勝手を自在とするとともに延長胴縁の簡易な装着とこれによるガイドフィンの上記スライド自在の挟持とストッパーによるスライド範囲の規制とをなし得るものとすることができる。
【発明を実施するための最良の形態】
【００１６】
以下図面の例に従って本発明を更に具体的に説明すれば，Ａは，例えば外断熱構造の建物壁面４に，タイル，サイディング等外装材５を設置するに用いる外装材下地であり，該外装材下地Ａは，縦胴縁１と，該縦胴縁１に架設支持して外装材５の取付ベースをなす定尺の横胴縁２と，該横胴縁２に長手方向スライド自在に装着し同じく外装材５の取付ベースをなす延長胴縁３とを備えてある。
【００１７】
このとき縦胴縁１に対する定尺の横胴縁２の架設支持は，これを，縦胴縁１に設置したブラケット１２を横胴縁２の縦胴縁１との交差位置に設置した引掛透孔２３に挿通し該引掛透孔２３の上端をブラケット１２に引掛支持することによって行ったものとし，定尺の横胴縁２に対する延長胴縁３の長手方向スライド自在の装着は，これを，定尺の横胴縁２と延長胴縁３を正面側開放の略共通断面形状とすることによって延長胴縁３を定尺の横胴縁２に対して正面側からスライド自在に嵌合することによって行なったものとしてある。
【００１８】
本例において縦胴縁１，定尺の横胴縁２及び延長胴縁３は，例えばこれを，ロールホーミング成形，プレス成形，押出成形等によって成形加工したスチール，アルミ等の金属製としてあり，本例にあってはスチール板にロールホーミング及び／又はプレス加工を施すことによって，縦胴縁１は，基板１１の両側に低突出のリブを備えた断面略コ字状のものとし，定尺の横胴縁２及び延長胴縁３は，それぞれ断面コ字状の胴縁基部２１，３１とその正面側上下先端に外装材取付用の係合部２２，３２，例えば上向きの係合部とを備えて正面側を開放した略共通断面形状のものとし，該係合部２２，３２を備えることによって外装材５の取付ベースをなすとともに正面側開放の略共通断面形状とすることによって定尺の横胴縁２に対する延長胴縁３のスライド自在の装着をなし得るようにしてある。
【００１９】
縦胴縁１は，定尺の横胴縁２配置のピッチ毎に長手方向に基板１１にプレスによる切欠加工を施すことによって，これに交差する定尺の横胴縁２を引掛支持する略断面Ｌ字状をなすブラケット１２を正面側に突出して備えたものとしてあり，本例にあって該ブラケット１２はその上端に正面側に上向きに切り起し形成した傾斜係止片１３を備えたものとしてあり，該縦胴縁１は，例えば５ｃｍ程度の幅にして４５ｃｍ程度の長さに設定した定尺のものとしてある。
【００２０】
定尺の横胴縁２は，同じく縦胴縁１との交差位置，即ち縦胴縁１の建物壁面４に対する配置のピッチ毎に長手方向に胴縁基板２１の底面にプレスによる切欠加工を施すことによって，上記縦胴縁１のブラケット１２を挿通して上端を該ブラケット１２に引掛支持する引掛透孔２３を，胴縁基部２１の上下幅方向下位に，例えば矩形に透設して備えたものとし，本例にあっては，縦胴縁１のブラケット１２に対する上記引掛支持に際して，該ブラケット１２に設置した傾斜係止片１３を受け入れ，これとスナップイン的に係止する係止透孔２４を，胴縁基部２１における上記引掛透孔２３の上位に，例えば該引掛透孔２３より短く且つ細幅に透設して備えたものとしてある。
【００２１】
縦胴縁１に対する定尺の横胴縁２の架設支持は，これを事前に工場で又は工事現場で行なうことによって，例えばタイル，サイディング等外装材５の高さに合せてその取付けが可能となるように定尺の横胴縁２を適宜のピッチで縦胴縁１に配置して格子状の下地とするものとしてあり，いずれの場合も，複数の縦胴縁１のブラケット１２位置の正面側に定尺の横胴縁２を配置し，その引掛透孔２３に縦胴縁１のブラケット１２を挿通するように受け入れ，該定尺の横胴縁２を縦胴縁１の下方に向けて押下げることによって，引掛透孔２３の上端をブラケット１２の下端に落とし込ませて，ブラケット１２による引掛透孔２３下端の下支え状の引掛支持を行ってその架設支持を行なうようにすればよく，このとき本例にあっては該定尺の横胴縁２を押下げることによって，定尺の横胴縁２の胴縁基部２１底面，特に引掛透孔２３と係止透孔２４間の底面によりブラケット１２上端の傾斜係止片１３が背面側に押圧されて係止透孔２４に至り，該傾斜係止片１３が係止透孔２３位置で正面側に弾発的に復帰して，これが係止透孔２４に係止するに至る結果，ブラケット１２による引掛透孔２３の引掛支持をスナップイン的になし得るとともに該引掛支持の状態をそのまま維持することにより引掛支持の抜止め作用を発揮し，縦胴縁１に対して定尺の横胴縁２を強固且つ確実に固定し得るようにしてある。
【００２２】
このとき本例の定尺の横胴縁２は，例えば４〜５ｃｍ程度の高さ幅にして，その長さを異長複数の定尺としてあり，該異長複数の横胴縁２は，例えばメーターモジュールの軸組構造乃至枠組構造用にメートルに準拠し，本例にあっては１ｍ程度及びその倍数の２ｍ程度の２種類の長尺帯状のものとしてある。
【００２３】
一方上記軸組構造乃至枠組構造の建物壁面４は，その柱，間柱等の芯々寸法を基準にして設置されるから，該定尺の横胴縁２をその長手方向に連続的に配置して建物壁面４の幅をカバーしようとしても，例えば出隅部分にあっては，その柱，間柱の幅方向中心の芯位置から出隅側の側面までの，例えば数ｃｍ程度の幅部分が，そして出隅で交差する壁面に断熱材を配置する本例の如き外断熱構造の建物にあっては，該柱の数ｃｍの幅に更に断熱材４４の厚さを加えた幅部分が，また窓開口部４３設置部分にあってはその横幅を建物壁面４から減じて定尺の合計を超えた幅部分が，定尺の横胴縁２の合計長さと一致せずに，一般に定尺以下の寸法となって残り，建物壁面４には該定尺の横胴縁２によってカバーできない残余部分が生じるに至る。
【００２４】
この残余部分をカバーするために，上記延長胴縁３を定尺の横胴縁２にスライド自在に装着し，定尺の横胴縁２の長さを延長胴縁３のスライド幅に応じて伸張調整できる如くにすることによって，該定尺の横胴縁２と延長胴縁３によって建物壁面４の全幅に外装材の下地を配置できるようにしてある。
【００２５】
延長胴縁３は，上記のように断面Ｌ字状の胴縁基部３１に係合部３２，特に上向きの係合部を設置することによって正面側を開放し，定尺の横胴縁２と略共通断面形状としてあることによって，定尺の横胴縁２に対してその正面側からスライド自在に嵌合し得るようにしてあり，このとき本例の延長胴縁３は，その外形寸法を，定尺の横胴縁２の外形寸法より幾分，例えばその肉厚分程度小さく設定することによって，延長胴縁３の装着時に定尺の横胴縁２に押し広げや変形を来すことなく，断面形状によって形成される横胴縁２のコ字状溝内に延長胴縁３を簡易に嵌合するとともにそのスムーズなスライドをなし得るようにしてあり，上記断面形状の本例にあっては，延長胴縁３の胴縁基部３１における高さと正面側への出幅の寸法を，その肉厚に応じて，例えば０．６乃至１ｍｍ程度小さく設定してある。
【００２６】
このとき延長胴縁３は，その定尺の横胴縁２に対するスライド範囲を，該定尺の横胴縁２における上記引掛透孔２３を介してその正面側に突出した縦胴縁１のブラケット１２幅方向端部を延長胴縁３に横長に透設したスライド透孔３３長手方向両端配置の一対のストッパー３６に突き当て対接自在とすることによって該一対のストッパー３６の離隔幅間で規制したものとしてあり，また延長胴縁３のスライド透孔３３における上記一対のストッパー３６間上方に下向きのガイドフィン３４を配置し，該ガイドフィン３４を上記定尺の横胴縁２の引掛透孔２３を挿通したブラケット１２と定尺の横胴縁２の引掛透孔２３上部間にスライド自在に挟持することによって定尺の横胴縁２における延長胴縁３の嵌合によるスライドを縦胴縁１位置で長手方向に案内してなるものとしてある。
【００２７】
即ち本例の延長胴縁３は，そのスライド透孔３３を延長胴縁３長手方向に沿う矩形状に形成し，その上方中間位置に下向きのガイドフィン３４を配置するとともにその両端を開放して挿入口３５を配置し且つ該挿入口３５の下位に縦胴縁１のブラケット１２下部に重なるように上記一対のストッパー３６を上向きのフィン状に起立配置することによって，上記定尺の横胴縁２に対する延長胴縁３の長手方向スライド自在の装着を，定尺の横胴縁２を引掛支持した縦胴縁１のブラケット１２位置に延長胴縁３一方の挿入口３５を合せて該延長胴縁３を縦胴縁１側に押圧し，該押圧状態で延長胴縁３をスライド透孔３３長手方向にスライドすることによってそのガイドフィン３４をブラケット１２と定尺の横胴縁２上部間に挟持するとともに該開放部分下位のストッパー３６を弾発的に復帰させて縦胴縁１のブラケット１２を該両側一対のストッパー３６に対接自在としたものとしてある。
【００２８】
本例にあって該延長胴縁３は，定尺の横胴縁２と同等の高さ幅にして，例えば１５乃至５０ｃｍ程度以下，本例にあっては２０ｃｍ程度の長さとし，また定尺の横胴縁２に対するスライド幅を，この種建物壁面４に生じる残余部分をカバーするに適当な，例えば１０ｃｍ程度とするようにその胴縁基部３１底面に１０ｃｍ長さ程度のスライド透孔３３をプレスによる切欠加工を施すことによって透設して設置したものとしてある。
【００２９】
このとき延長胴縁３におけるスライド透孔３３は，該透孔３３内上方にその長手方向に沿って上位のガイドフィン３４を，その開放した両端に挿入口３５を，該挿入口３５の下位にスライド透孔３３下端から立ち上げた起立フィンによる各ストッパー３６を備えた形態としてあり，このとき挿入口３５の高さ寸法をブラケット１２の高さより幾分小さく，挿入口３５にブラケット１２を合わせたときにブラケット１２の下端がストッパー３６の上端に重なるように相互の位置関係を設定してある。
【００３０】
従って上記縦胴縁１に定尺の横胴縁２を設置した状態で，建物壁面４における定尺の横胴縁２がカバーし得ない残余部分があるときに，該残余部分に追加して定尺の横胴縁２を延長するように又は定尺の横胴縁２間にブリッジ状とするように，延長胴縁３をその正面側から事後に簡易に嵌め込むことによって該残余部分を吸収して，建物壁面４の全幅に外装下地が及ぶようにその配置を行えばよい。
【００３１】
本例にあって該残余部分の吸収は，例えば該残余部分側において，該残余部分側に位置する縦胴縁１に対して，該縦胴縁１のブラケット１２をスライド透孔３３の挿入口３５から受け入れて上記ガイドフィン３４の挟持とブラケット１２の傾斜係止片１３の係止を行なうとともに定尺の横胴縁２からの延長胴縁３の突出幅をスライド調整し，例えば出隅の先端，交差する壁面に断熱材４４を配置したときはその先端に至るようにこれをカバーし，また例えば窓開口部４３に対しては，その側部に配置した横胴縁２の先端から窓開口部４３までの間をカバーするようすればよい。
【００３２】
このように延長胴縁３を定尺の横胴縁２にスライド自在に装着し，建物壁面４の全幅に外装下地Ａを配置したことによって，該横胴縁２と延長胴縁３における上下の係合部２２，３２にタイル，サイディング等の外装材５の係合部５１，例えば係合受部を嵌め込むように配置し，また上下に隣接する横胴縁２間及び延長胴縁３間でその各上下に位置する上向きの係合部２２，３２のピッチがこれらの胴縁基部２１，３１における係合部２２，３２のピッチと同一となるように設置したときは，これらの間の上位にあっては下方と，下位にあっては上方の相互に隣接する係合部２２，３２に，該外装材５の係合部５１を係合載架するように配置し，建物壁面４の外装を行なうことが可能となる。
【００３３】
このように構成した外装下地Ａは，縦胴縁１に架設支持した定尺の横胴縁２に対してその長さを延長可能とする延長胴縁３を安定且つ確実に装着することによって，建物壁面４の出隅や窓開口部４３等に生じる残余部分を吸収し，現場での切断作業を解消し，騒音や端材の発生を防止するとともに上記定尺の横胴縁２に対する延長胴縁３の装着を簡易且つ確実になし得て，残余部分の吸収に際して延長胴縁３をスライドしてもその定尺の横胴縁２から抜け落ち等のトラブルのないものとすることができ，延長胴縁３を縦胴縁１のブラケット１２と定尺の横胴縁２間にスライド自在に挟持することによって縦胴縁１位置でその長手方向の案内を行い，延長胴縁３のスライドを更に安定して確実になし得るものとすることができ，また延長胴縁３のスライド透孔３３におけるガイドフィン３４，一対の挿入口３５，一対のストッパー３６の配置によって，定尺の横胴縁２に対する延長胴縁３装着の左右勝手を自在とするとともに延長胴縁３の簡易な装着とこれによるガイドフィン３４のスライド自在の挟持とストッパー３６によるスライド範囲の規制を容易になし得るものとすることができる。
【００３４】
図中１４は縦胴縁１における定尺の横胴縁２落とし込みの位置決めとその下支え支持を兼ねる突出支持部，４１は柱，間柱等の構造躯体，４２はこれに張設した構造用合板を示す。
【００３５】
図示した例は以上のとおりとしたが，定尺の横胴縁を，旧尺貫法の尺に準拠した建築分野における一般的な寸法のものとしてその長さの設定を行なうこと，定尺の横胴縁を単一長さのものとすること，上記外断熱層を有する外断熱構造に代えて，柱間に断熱材を配置した内断熱構造の建物壁面を外装材設置対象とすること，ストッパーを前後方向に突出する突起によるものとすること等を含めて，外装材，建物壁面，外装下地，縦胴縁，ブラケット，定尺の横胴縁，引掛透孔，延長胴縁，スライド透孔，ストッパー，必要に応じて用いるガイドフィン，挿入口等の各具体的形状，構造，材質，これらの関係，これらに対する付加，壁面外装の方法等は，上記発明の要旨に反しない限り様々な形態のものとすることができる。
【図面の簡単な説明】
【００３６】
【図１】延長胴縁を一点鎖線で示した外装下地の正面図である。
【図２】縦胴縁の正面図である。
【図３】縦胴縁の側面図である。
【図４】横胴縁の正面図である。
【図５】横胴縁の拡大正面図である。
【図６】横胴縁の縦断面図である。
【図７】延長胴縁の正面図である。
【図８】延長胴縁の縦断面図である。
【図９】縦胴縁のブラケットと横胴縁の引掛支持の状態を示す拡大断面図である。
【図１０】縦胴縁，横胴縁及び延長胴縁の関係を示す斜視図である。
【図１１】延長胴縁の装着時の状態を示す正面図である。
【図１２】延長胴縁の装着時の状態を示す縦断面図である。
【図１３】建物壁面の窓開口部分と外装材下地の関係を示す正面図である。
【図１４】建物壁面の出隅部分と外装材下地の関係を示す横断面図である。
【図１５】外装下地と外装材との関係を示す縦断面図である。
【符号の説明】
【００３７】
Ａ  外装材下地
１  縦胴縁
１２  ブラケット
２  横胴縁
２３  引掛透孔
２４  係止透孔
３  延長胴縁
３３  スライド透孔
３４  ガイドフィン
３５  挿入口
３６  ストッパー
４  建物壁面
５  外装材
【図１】
2005344299.tif 000003
【図２】
2005344299.tif 000004
【図３】
2005344299.tif 000005
【図４】
2005344299.tif 000006
【図５】
2005344299.tif 000007
【図６】
2005344299.tif 000008
【図７】
2005344299.tif 000009
【図８】
2005344299.tif 000010
【図９】
2005344299.tif 000011
【図１０】
2005344299.tif 000012
【図１１】
2005344299.tif 000013
【図１２】
2005344299.tif 000014
【図１３】
2005344299.tif 000015
【図１４】
2005344299.tif 000016
【図１５】
2005344299.tif 000017